(57)【要約】【課題】  収納物を容易に管理・検索することを可能にする。【解決手段】  引出２に収納されるフォルダ３には識別情報を格納したＩＣチップ５が設けられている。筐体１に設けられたＩＣチップセンサ１１ａ、１１ｂは、引出２の開閉時に、引出２に収納されているフォルダ３のＩＣチップ５から識別情報を順次読み出す。記憶装置１２は、フォルダ３の収納順を表す収納情報を記憶している。記憶装置１２は、引出２の開閉時にＩＣチップセンサ１１ａ、１１ｂが読み出す識別情報を用いて、記憶している収納情報を管理する。【選択図】  図２
2005254558.tif 000002
【特許請求の範囲】
【請求項１】
収納物を収納するための引出と、
前記引出を格納するための格納空間を有する筐体と、
前記収納物の収納情報を管理する情報管理装置と、から構成され、
前記収納物には、該収納物を識別するための識別情報を格納する第１格納手段が設けられ、
前記筐体は、前記引出に収納されている前記収納物の前記第１格納手段から前記識別情報を読み出す読出手段を備え、
前記情報管理装置は、前記引出の開閉時に、前記引出の移動に伴って移動する前記収納物の前記第１格納手段から前記読出手段が順次読み出す前記識別情報を用いて前記収納情報を管理する、
ことを特徴とする収納物管理装置。
【請求項２】
収納物を収納するための引出と、
前記引出を格納するための格納空間を有する筐体と、
前記収納物の収納情報と、前記引出の位置情報を管理する情報管理装置と、
から構成され、
前記収納物には、該収納物を識別するための識別情報を格納する第１格納手段が設けられ、
前記引出には、該引出の位置を特定するための位置情報を格納する第２格納手段が設けられ、
前記筐体は、前記引出に収納されている前記収納物の前記第１格納手段から前記識別情報を、また前記引出の前記第２格納手段から前記位置情報を読み出す読出手段を備え、
前記情報管理装置は、前記引出の開閉時に、前記引出の移動に伴って移動する前記収納物の前記第１格納手段から前記読出手段が順次読み出す前記識別情報を用いて前記収納情報を管理し、また前記引出の前記第２格納手段から前記読出手段が読み出す前記位置情報を用いて前記位置情報を管理する、
ことを特徴とする収納物管理装置。
【請求項３】
前記情報管理装置は、前記読出手段が順次読み出す前記識別情報を用いて前記収納情報を更新する更新手段を備える、ことを特徴とする請求項１又は２に記載の収納物管理装置。
【請求項４】
前記情報管理装置は、前記読出手段が読み出す前記識別情報を蓄積する蓄積手段を備え、
前記更新手段は、前記蓄積手段が蓄積した前記識別情報を用いて、前記収納情報を更新する、
ことを特徴とする請求項３に記載の収納物管理装置。
【請求項５】
前記情報管理装置は、
前記読出手段が読み出す前記識別情報と管理している前記収納情報とを用いて、前記収納物の収納状態に変化があったか否かを判別する第１判別手段と、
前記第１判別手段によって前記収納状態に変化があったと判別された場合に、前記収納状態に変化があったことをユーザに通知する通知手段と、
を備える、ことを特徴とする請求項４に記載の収納物管理装置。
【請求項６】
前記読出手段は前記引出の移動方向に沿って複数設けられている、ことを特徴とする請求項５に記載の収納物管理装置。
【請求項７】
複数設けられた前記読出手段のうちの１つは前記格納空間の入り口に設けられている、ことを特徴とする請求項６に記載の収納物管理装置。
【請求項８】
前記格納空間の入り口以外に設けられる前記読出手段は、前記引出が完全に閉じた状態において、該引出の全長を複数の区間に区分する位置に設けられ、これにより、複数の前記読出手段は、前記引出の全長を複数の区間に区分した場合の１区間に相当する距離を前記引出が移動する間に、該引出内にある全ての前記第１格納手段から前記識別情報を読み出す、ことを特徴とする請求項７に記載の収納物管理装置。
【請求項９】
前記蓄積手段は、前記引出が前記１区間に相当する距離を移動する間に前記読出手段が読み出す前記識別情報を蓄積する、ことを特徴とする請求項８に記載の収納物管理装置。
【請求項１０】
前記引出に設けられた第２格納手段をさらに備え、
前記第２格納手段は、該第２格納手段が設けられている前記引出上の位置を特定するための位置情報を格納し、
前記読出手段は、前記第２格納手段に格納されている前記位置情報を読み出し、
前記情報管理装置は、前記引出が前記１区間に相当する距離を移動したか否かを判別する第２判別手段を備え、
前記第２判別手段は、前記読出手段が読み出す前記位置情報を用いて、前記引出が前記１区間に相当する距離を移動したか否かを判別し、
前記蓄積手段は、前記第２判別手段によって前記引出が前記１区間に相当する距離を移動したと判別された場合に、前記識別情報の蓄積を終了する、
ことを特徴とする請求項９に記載の収納物管理装置。
【請求項１１】
前記第２格納手段は、前記引出に複数設けられ、
複数設けられた前記第２格納手段の少なくとも１つは、前記引出が完全に閉じた状態において、複数設けられた前記読出手段の何れかに対向するように設けられている、
ことを特徴とする請求項１０に記載の収納物管理装置。
【請求項１２】
前記情報管理装置は前記筐体内に組み込まれている、ことを特徴とする請求項１乃至１１の何れか１項に記載の収納物管理装置。
【請求項１３】
前記筐体は、前記情報管理装置が管理する前記収納情報を、外部に設置される外部端末装置に供給するための通信手段を備える、ことを特徴とする請求項１２に記載の収納物管理装置。
【請求項１４】
前記情報管理装置は、前記筐体の外部に設置され、
前記筐体は、前記読出手段が読み出す情報を前記情報管理装置に供給するための通信手段を備える、
ことを特徴とする請求項１乃至１１の何れか１項に記載の収納物管理装置。
【請求項１５】
前記通信手段の通信は、有線通信、無線通信、及び、光通信である、ことを特徴とする請求項１３又は１４に記載の収納物管理装置。
【請求項１６】
前記第１格納手段は集積回路チップから構成され、
前記読出手段は、電磁波を発生させる回路を備え、電磁波により前記集積回路チップから前記識別情報を読み出す、
ことを特徴とする請求項１乃至１５の何れか１項に記載の収納物管理装置。
【請求項１７】
前記第２格納手段は集積回路チップから構成され、
前記読出手段は、電磁波を発生させる回路を備え、電磁波により前記集積回路チップから前記位置情報を読み出す、
ことを特徴とする請求項１０乃至１５の何れか１項に記載の収納物管理装置。
【請求項１８】
前記筐体及び前記引出の外壁は電磁シールド材から構成されている、ことを特徴とする請求項１６又は１７に記載の収納物管理装置。
【請求項１９】
収納物を収納するための引出と、
前記引出を格納するための格納空間を有する筐体と、から構成され、
前記収納物には、該収納物を識別するための識別情報を格納する第１格納手段が設けられ、
前記筐体は、
前記引出に収納されている前記収納物の前記第１格納手段から前記識別情報を読み出す読出手段と、
前記引出の移動に伴って移動する前記収納物の前記第１格納手段から前記読出手段が順次読み出す前記識別情報を、前記収納物の収納情報を管理する情報管理装置に順次供給する供給手段と、を備える、
ことを特徴とする引出付筐体。
【請求項２０】
収納物を収納するための引出と、
前記引出を格納するための格納空間を有する筐体と、から構成され、
前記収納物には、該収納物を識別するための識別情報を格納する第１格納手段が設けられ、
前記引出には、該引出の位置を特定するための位置情報を格納する第２格納手段が設けられ、
前記筐体は、前記引出に収納されている前記収納物の前記第１格納手段から前記識別情報を、また前記引出の前記第２格納手段から前記位置情報を読み出す読出手段と、
前記引出の移動に伴って移動する前記収納物の前記第１格納手段から前記読出手段が順次読み出す前記識別情報と、前記引出の前記第２格納手段から前記読出手段が読み出す前記位置情報を、前記収納物の収納情報と前記引出の位置情報を管理する情報管理装置に順次供給する供給手段と、を備える、
ことを特徴とする引出付筐体。
【請求項２１】
前記読出手段は、前記引出の移動方向に沿って複数設けられている、ことを特徴とする請求項１９又は２０に記載の引出付筐体。
【請求項２２】
複数設けられた前記読出手段のうちの１つは前記格納空間の入り口に設けられている、ことを特徴とする請求項２１に記載の引出付筐体。
【請求項２３】
前記格納空間の入り口以外に設けられる前記読出手段は、前記引出が完全に閉じた状態において、該引出の全長を複数の区間に区分する位置に設けられ、これにより、複数の前記読出手段は、前記引出の全長を複数の区間に区分した場合の１区間に相当する距離を前記引出が移動する間に、該引出内にある全ての前記第１格納手段から前記識別情報を読み出す、ことを特徴とする請求項２２に記載の引出付筐体。
【請求項２４】
前記引出に設けられた第２格納手段をさらに備え、
前記第２格納手段は、該第２格納手段が設けられている前記引出上の位置を特定するための位置情報を格納している、
ことを特徴とする請求項２３に記載の引出付筐体。
【請求項２５】
前記第２格納手段は、前記引出に複数設けられ、
複数設けられた前記第２格納手段の少なくとも１つは、前記引出が完全に閉じた状態において、複数設けられた前記読出手段の何れかに対向するように設けられている、
ことを特徴とする請求項２４に記載の引出付筐体。
【請求項２６】
前記供給手段は、有線通信、無線通信、及び、光通信を行う回路の少なくとも１つから構成される、ことを特徴とする請求項１９乃至２５の何れか１項に記載の引出付筐体。
【請求項２７】
前記第１格納手段は集積回路チップから構成され、
前記読出手段は、電磁波を発生させる回路を備え、電磁波により前記集積回路チップから前記識別情報を読み出す、
ことを特徴とする請求項１９乃至２６の何れか１項に記載の引出付筐体。
【請求項２８】
前記第２格納手段は集積回路チップから構成され、
前記読出手段は、電磁波を発生させる回路を備え、電磁波により前記集積回路チップから前記位置情報を読み出す、
ことを特徴とする請求項２４乃至２６の何れか１項に記載の引出付筐体。
【請求項２９】
前記筐体及び前記引出の外壁は電磁シールド材から構成されている、ことを特徴とする請求項２７又は２８に記載の引出付筐体。
【請求項３０】
引出を格納する筐体に設けられた読出手段が、前記引出の開閉時に、前記引出に収納されている収納物に設けられた該収納物の識別情報を格納する第１格納手段から前記識別情報を順次読み出す読出工程と、
前記読出工程で順次読み出される前記識別情報を用いて、前記収納物の収納情報を作成する情報作成工程と、
前記情報作成工程で作成された前記収納情報を記憶する記憶工程と、
前記引出の開閉時に、前記読出工程で順次読み出される前記識別情報を用いて、前記記憶工程で記憶された前記収納情報を更新する更新工程と、
を備える、ことを特徴とする収納物管理方法。
【請求項３１】
コンピュータに、
収納物の識別情報を格納する格納手段を備える収納物が収納される引出の開閉時に、前記引出を格納する筐体に設けられた読出手段が前記収納物の前記格納手段から順次読み出す前記識別情報を用いて、前記収納物の収納情報を作成する情報作成工程と、
前記情報作成工程で作成された前記収納情報を記憶する記憶工程と、
前記引出の開閉時に、前記読出手段が順次読み出す前記識別情報を用いて前記収納情報を更新する更新工程と、
を実行させるためのプログラム。
【請求項３２】
コンピュータを、
ＩＣチップを検出して情報を読み出すセンサが内蔵された筐体に格納される引出に収納されているＩＣチップ付き収納物を管理する収納物管理装置であって、
前記引出の開閉に連動して前記センサが前記ＩＣチップから順次読み出す情報を用いて所定の処理を行い、前記収納物の収納状態を求める処理手段と、
前記処理手段が求める前記収納状態を記憶する記憶手段と、
前記処理手段が求める前記収納状態を所定のディスプレイに表示する表示手段と、
から構成される収納物管理装置として機能させるためのプログラム。
【請求項３３】
前記処理手段は、前記引出が開く際に前記センサが前記ＩＣチップから情報を読み出す順番に従って読み出された情報を処理する、ことを特徴とする収納物管理装置としてコンピュータを機能させるための請求項３２に記載のプログラム。
【請求項３４】
前記ＩＣチップが格納する情報は固定情報である、ことを特徴とする請求項３３に記載のプログラム。
【請求項３５】
前記ＩＣチップが格納する情報は書き換え可能な情報である、ことを特徴とする請求項３３に記載のプログラム。
【請求項３６】
前記処理手段は、前記引出が閉じる際に前記センサによって読み出される情報を用いて、前記記憶手段が記憶している前記収納状態を修正すると共に、前記表示手段が表示している表示内容を修正する又は警告を出力する、ことを特徴とする収納物管理装置としてコンピュータを機能させるための請求項３２に記載のプログラム。
【請求項３７】
前記引出が再度開く際に、前記センサが読み出す情報から求められる収納状態と前記記憶手段が記憶している前記収納状態とが一致するか否かを判別する判別手段と、
前記判別手段によって前記収納状態が一致しないと判別された場合に警告を出力する警告手段と、
をさらに備える収納物管理装置としてコンピュータを機能させるための請求項３２に記載のプログラム。
【請求項３８】
前記記憶手段に格納されている前記収納状態の修正、及び、前記表示内容の修正は、前記センサが検出する前記ＩＣチップ、及び、前記引出から前記収納物が持ち出されることによって検出されなくなったＩＣチップに関する、ことを特徴とする請求項３６に記載のプログラム。
【請求項３９】
前記表示手段は、修正された表示内容と共に修正前の表示内容を表示する、ことを特徴とする収納物管理装置としてコンピュータを機能させるための請求項３６に記載のプログラム。
【請求項４０】
前記表示内容の修正は前記センサによって検出される前記ＩＣチップの順序に関する、ことを特徴とする請求項３６に記載のプログラム。
【請求項４１】
持出禁止である収納物に添付されたＩＣチップは、該収納物が持出禁止であることを示す禁止情報を格納し、
前記処理手段は、持出禁止である前記収納物が前記引出から持ち出されることによって前記禁止情報を格納した前記ＩＣチップが前記センサによって検出されなくなった場合に警告を出力する、
ことを特徴とする収納物管理装置としてコンピュータを機能させるための請求項３６に記載のプログラム。
【請求項４２】
前記処理手段は、前記センサが読み出す情報を用いて、前記引出が開かれたことを検出し、
前記表示手段は、前記引出が開かれたことを前記処理手段が検出することに応答して、前記記憶手段が記憶している前記収納状態を表示する、
ことを特徴とする収納物管理装置としてコンピュータを機能させるための請求項３２に記載のプログラム。
【請求項４３】
前記処理手段は、前記センサが順次読み出す情報に基づいて、前記引出の開閉及び開閉方向を検出する、ことを特徴とする収納物管理装置としてコンピュータを機能させるための請求項３２に記載のプログラム。
【発明の詳細な説明】
【技術分野】
【０００１】
本発明は、収納物管理装置、引出付筐体、収納物管理方法、及び、プログラムに関する。
【背景技術】
【０００２】
収納物の管理は、ユーザが収納物の収納・取出時にどの収納物がどの順番で収納されているかを確認することにより行われる場合がある。しかし、収納物の数が多いと、人の記憶により全ての収納物を管理するのは困難となり、収納物を見つけだすのも困難となる。
【０００３】
そこで、収納物を管理するための技術、収納物を検索するための技術がそれぞれ開発されている。
収納物の管理技術としては、例えば冷蔵庫に収納されている収納物を管理するための技術がある（例えば、特許文献１参照。）。
【０００４】
この管理技術では、冷蔵庫の入り口に、その入り口の縁に沿った環状のセンサをユーザが収納物を出し入れする方向に２つ並べて設置すると共に、各収納物に非接触型ＩＤタグを貼付している。そして、収納物の収納・取出時に、収納物に貼付された非接触型ＩＤタグを２つのセンサで検出し、それらの検出時間差によって、収納物が収納されるのか、取り出されるのかを判別し、これにより、冷蔵庫に何が収納されているのかを管理している。
【０００５】
一方、収納物の検索技術としては、例えばキャビネットに収納されている収納物を検索するための技術がある（例えば、特許文献２参照。）。
この検索技術では、各収納物に検索用タグを貼付している。そして、検索時には、各収納物に検索用信号を照射し、目的の収納物に貼付された検索用タグを点灯させている。
【特許文献１】特開２０００−３１０４７６号公報
【特許文献２】特開２００２−２４２４９号公報
【発明の開示】
【発明が解決しようとする課題】
【０００６】
上記したように、冷蔵庫に設けられた２つのセンサは、ユーザが収納物を出し入れする方向に並べられている。このため、上記した管理技術では、収納物が収納されたのか、取り出されたのかを検出することはできるが、収納物が棚や引き出しに置かれた場合、収納物が置かれている位置や順番は検出できない。
【０００７】
また、冷蔵庫は、収納物を収納した後でも、その位置を手で移動させたりすることができる。このことからも、上記した管理技術では、収納物の収納位置まで管理することはできない。
【０００８】
また、上記した検索技術では、キャビネットの奥に向かって多数の収納物を収納した場合、検索用信号が奥の収納物まで届かない場合がある。このため、上記した検索技術では、収納物の検索をできない場合がある。
【０００９】
また、上記検索技術では、奥の収納物まで検索用信号が届いても、前方にある多数の収納物が妨げになって、ユーザが検索用タグの点灯を確認できない場合がある。この場合は、点灯している検索用タグを見つけるのに労力を費やしてしまう。
【００１０】
従って、本発明は、収納物を容易に管理・検索することを可能にする収納物管理装置、引出付筐体、収納物管理方法、及び、プログラムを提供することを目的とする。
【課題を解決するための手段】
【００１１】
上記目的を達成するために、本発明の第１の観点にかかる収納物管理装置は、収納物を収納するための引出と、前記引出を格納するための格納空間を有する筐体と、前記収納物の収納順序、識別情報、収納日時、更新情報を表す収納情報を管理する情報管理装置と、から構成され、前記収納物には、該収納物を識別するための識別情報を格納する第１格納手段が設けられ、前記筐体は、前記引出に収納されている前記収納物の前記第１格納手段から前記識別情報を読み出す読出手段を備え、前記情報管理装置は、前記引出の開閉時に、前記引出の移動に伴って移動する前記収納物の前記第１格納手段から前記読出手段が順次読み出す前記識別情報を用いて前記収納情報を管理する、ことを特徴とする。
【００１２】
本発明の第２の観点にかかる収納物管理装置は、収納物を収納するための引出と、前記引出を格納するための格納空間を有する筐体と、前記収納物の収納情報と、前記引出の位置情報を管理する情報管理装置と、から構成され、前記収納物には、該収納物を識別するための識別情報を格納する第１格納手段が設けられ、前記引出には、該引出の位置を特定するための位置情報を格納する第２格納手段が設けられ、前記筐体は、前記引出に収納されている前記収納物の前記第１格納手段から前記識別情報を、また前記引出の前記第２格納手段から前記位置情報を読み出す読出手段を備え、前記情報管理装置は、前記引出の開閉時に、前記引出の移動に伴って移動する前記収納物の前記第１格納手段から前記読出手段が順次読み出す前記識別情報を用いて前記収納情報を管理し、また前記引出の前記第２格納手段から前記読出手段が読み出す前記位置情報を用いて前記位置情報を管理する、ことを特徴とする。
【００１３】
本発明の第１及び第２の観点にかかる収納物管理装置において、前記情報管理装置は、前記読出手段が順次読み出す前記識別情報を用いて前記収納情報を更新する更新手段を備えてもよい。
【００１４】
前記情報管理装置は、前記読出手段が読み出す前記識別情報を蓄積する蓄積手段を備え、前記更新手段は、前記蓄積手段が蓄積した前記識別情報を用いて、前記収納情報を更新してもよい。
【００１５】
前記情報管理装置は、前記読出手段が読み出す前記識別情報と管理している前記収納情報とを用いて、前記収納物の収納状態に変化があったか否かを判別する第１判別手段と、前記第１判別手段によって前記収納状態に変化があったと判別された場合に、前記収納状態に変化があったことをユーザに通知する通知手段と、を備えてもよい。
【００１６】
前記読出手段は前記引出の移動方向に沿って複数設けられていてもよい。
【００１７】
複数設けられた前記読出手段のうちの１つは前記格納空間の入り口に設けられていてもよい。
【００１８】
前記格納空間の入り口以外に設けられる前記読出手段は、前記引出が完全に閉じた状態において、該引出の全長を複数の区間に区分する位置に設けられ、これにより、複数の前記読出手段は、前記引出の全長を複数の区間に区分した場合の１区間に相当する距離を前記引出が移動する間に、該引出内にある全ての前記第１格納手段から前記識別情報を読み出してもよい。
【００１９】
前記蓄積手段は、前記引出が前記１区間に相当する距離を移動する間に前記読出手段が読み出す前記識別情報を蓄積してもよい。
【００２０】
前記引出に設けられた第２格納手段をさらに備え、前記第２格納手段は、該第２格納手段が設けられている前記引出上の位置を特定するための位置情報を格納し、前記読出手段は、前記第２格納手段に格納されている前記位置情報を読み出し、前記情報管理装置は、前記引出が前記１区間に相当する距離を移動したか否かを判別する第２判別手段を備え、前記第２判別手段は、前記読出手段が読み出す前記位置情報を用いて、前記引出が前記１区間に相当する距離を移動したか否かを判別し、前記蓄積手段は、前記第２判別手段によって前記引出が前記１区間に相当する距離を移動したと判別された場合に、前記識別情報の蓄積を終了してもよい。
【００２１】
前記第２格納手段は、前記引出に複数設けられ、複数設けられた前記第２格納手段の少なくとも１つは、前記引出が完全に閉じた状態において、複数設けられた前記読出手段の何れかに対向するように設けられてもよい。
【００２２】
本発明の第１及び第２の観点にかかる収納物管理装置において、前記情報管理装置は前記筐体内に組み込まれていてもよい。
【００２３】
前記筐体は、前記情報管理装置が管理する前記収納情報を、外部に設置される外部端末装置に供給するための通信手段を備えてもよい。
【００２４】
本発明の第１及び第２の観点にかかる収納物管理装置において、前記情報管理装置は、前記筐体の外部に設置され、前記筐体は、前記読出手段が読み出す情報を前記情報管理装置に供給するための通信手段を備えてもよい。
【００２５】
前記通信手段の通信は、有線通信、無線通信、及び、光通信であってもよい。
【００２６】
本発明の第１及び第２の観点にかかる収納物管理装置において、前記第１格納手段は集積回路チップから構成され、前記読出手段は、電磁波を発生させる回路を備え、電磁波により前記集積回路チップから前記識別情報を読み出してもよい。
【００２７】
前記第２格納手段は集積回路チップから構成され、前記読出手段は、電磁波を発生させる回路を備え、電磁波により前記集積回路チップから前記位置情報を読み出してもよい。
【００２８】
前記筐体及び前記引出の外壁は電磁シールド材から構成されていてもよい。
【００２９】
本発明の第３の観点にかかる引出付筐体は、収納物を収納するための引出と、前記引出を格納するための格納空間を有する筐体と、から構成され、前記収納物には、該収納物を識別するための識別情報を格納する第１格納手段が設けられ、前記筐体は、前記引出に収納されている前記収納物の前記第１格納手段から前記識別情報を読み出す読出手段と、前記引出の移動に伴って移動する前記収納物の前記第１格納手段から前記読出手段が順次読み出す前記識別情報を、前記収納物の収納順序、識別情報、収納日時、更新情報を表す収納情報を管理する情報管理装置に順次供給する供給手段と、を備える、ことを特徴とする。
【００３０】
本発明の第４の観点にかかる引出付筐体は、収納物を収納するための引出と、前記引出を格納するための格納空間を有する筐体と、から構成され、前記収納物には、該収納物を識別するための識別情報を格納する第１格納手段が設けられ、前記引出には、該引出の位置を特定するための位置情報を格納する第２格納手段が設けられ、前記筐体は、前記引出に収納されている前記収納物の前記第１格納手段から前記識別情報を、また前記引出の前記第２格納手段から前記位置情報を読み出す読出手段と、前記引出の移動に伴って移動する前記収納物の前記第１格納手段から前記読出手段が順次読み出す前記識別情報と、前記引出の前記第２格納手段から前記読出手段が読み出す前記位置情報を、前記収納物の収納情報と前記引出の位置情報を管理する情報管理装置に順次供給する供給手段と、を備える、ことを特徴とする。
【００３１】
本発明の第３及び第４の観点にかかる引出付筐体において、前記読出手段は、前記引出の移動方向に沿って複数設けられていてもよい。
【００３２】
複数設けられた前記読出手段のうちの１つは前記格納空間の入り口に設けられていてもよい。
【００３３】
前記格納空間の入り口以外に設けられる前記読出手段は、前記引出が完全に閉じた状態において、該引出の全長を複数の区間に区分する位置に設けられ、これにより、複数の前記読出手段は、前記引出の全長を複数の区間に区分した場合の１区間に相当する距離を前記引出が移動する間に、該引出内にある全ての前記第１格納手段から前記識別情報を読み出してもよい。
【００３４】
前記引出に設けられた第２格納手段をさらに備え、前記第２格納手段は、該第２格納手段が設けられている前記引出上の位置を特定するための位置情報を格納してもよい。
【００３５】
前記第２格納手段は、前記引出に複数設けられ、複数設けられた前記第２格納手段の少なくとも１つは、前記引出が完全に閉じた状態において、複数設けられた前記読出手段の何れかに対向するように設けられてもよい。
【００３６】
本発明の第３及び第４の観点にかかる引出付筐体において、前記供給手段は、有線通信、無線通信、及び、光通信を行う回路の少なくとも１つから構成されてもよい。
【００３７】
本発明の第３及び第４の観点にかかる引出付筐体において、前記第１格納手段は集積回路チップから構成され、前記読出手段は、電磁波を発生させる回路を備え、電磁波により前記集積回路チップから前記識別情報を読み出してもよい。
【００３８】
前記第２格納手段は集積回路チップから構成され、前記読出手段は、電磁波を発生させる回路を備え、電磁波により前記集積回路チップから前記位置情報を読み出してもよい。
【００３９】
前記筐体及び前記引出の外壁は電磁シールド材から構成されていてもよい。
【００４０】
本発明の第５の観点にかかる収納物管理方法は、引出を格納する筐体に設けられた読出手段が、前記引出の開閉時に、前記引出に収納されている収納物に設けられた該収納物の識別情報を格納する第１格納手段から前記識別情報を順次読み出す読出工程と、前記読出工程で順次読み出される前記識別情報を用いて、前記収納物の収納順序、識別情報、収納日時、更新情報を表す収納情報を作成する情報作成工程と、前記情報作成工程で作成された前記収納情報を記憶する記憶工程と、前記引出の開閉時に、前記読出工程で順次読み出される前記識別情報を用いて、前記記憶工程で記憶された前記収納情報を更新する更新工程と、を備える、ことを特徴とする。
【００４１】
本発明の第６の観点にかかるプログラムは、コンピュータに、収納物の識別情報を格納する格納手段を備える収納物が収納される引出の開閉時に、前記引出を格納する筐体に設けられた読出手段が前記収納物の前記格納手段から順次読み出す前記識別情報を用いて、前記収納物の収納順序、識別情報、収納日時、更新情報を表す収納情報を作成する情報作成工程と、前記情報作成工程で作成された前記収納情報を記憶する記憶工程と、前記引出の開閉時に、前記読出手段が順次読み出す前記識別情報を用いて前記収納情報を更新する更新工程と、を実行させる。
【００４２】
本発明の第７の観点にかかるプログラムは、コンピュータを、ＩＣチップを検出して情報を読み出すセンサが内蔵された筐体に格納される引出に収納されているＩＣチップ付き収納物を管理する収納物管理装置であって、前記引出の開閉に連動して前記センサが前記ＩＣチップから順次読み出す情報を用いて所定の処理を行い、前記収納物の収納状態を求める処理手段と、前記処理手段が求める前記収納状態を記憶する記憶手段と、前記処理手段が求める前記収納状態を所定のディスプレイに表示する表示手段と、から構成される収納物管理装置として機能させる。
【００４３】
前記プログラムは、前記処理手段が、前記引出が開く際に前記センサが前記ＩＣチップから情報を読み出す順番に従って読み出された情報を処理する、ことを特徴とする収納物管理装置としてコンピュータを機能させてもよい。
【００４４】
前記ＩＣチップが格納する情報は固定情報であってもよい。
【００４５】
前記ＩＣチップが格納する情報は書き換え可能な情報であってもよい。
【００４６】
前記プログラムは、前記処理手段が、前記引出が閉じる際に前記センサによって読み出される情報を用いて、前記記憶手段が記憶している前記収納状態を修正すると共に、前記表示手段が表示している表示内容を修正する又は警告を出力する、ことを特徴とする収納物管理装置としてコンピュータを機能させてもよい。
【００４７】
前記プログラムは、前記引出が再度開く際に、前記センサが読み出す情報から求められる収納状態と前記記憶手段が記憶している前記収納状態とが一致するか否かを判別する判別手段と、前記判別手段によって前記収納状態が一致しないと判別された場合に警告を出力する警告手段と、をさらに備える収納物管理装置としてコンピュータを機能させてもよい。
【００４８】
前記記憶手段に格納されている前記収納状態の修正、及び、前記表示内容の修正は、前記センサが検出する前記ＩＣチップ、及び、前記引出から前記収納物が持ち出されることによって検出されなくなったＩＣチップに関する事項であってもよい。
【００４９】
前記プログラムは、前記表示手段が、修正された表示内容と共に修正前の表示内容を表示する、ことを特徴とする収納物管理装置としてコンピュータを機能させてもよい。
【００５０】
前記表示内容の修正は前記センサによって検出される前記ＩＣチップの順序に関する事項であってもよい。
【００５１】
持出禁止である収納物に添付されたＩＣチップは、該収納物が持出禁止であることを示す禁止情報を格納してもよく、前記プログラムは、前記処理手段が、持出禁止である前記収納物が前記引出から持ち出されることによって前記禁止情報を格納した前記ＩＣチップが前記センサによって検出されなくなった場合に警告を出力する、ことを特徴とする収納物管理装置としてコンピュータを機能させてもよい。
【００５２】
前記プログラムは、前記処理手段が、前記センサが読み出す情報を用いて、前記引出が開かれたことを検出し、前記表示手段が、前記引出が開かれたことを前記処理手段が検出することに応答して、前記記憶手段が記憶している前記収納状態を表示する、ことを特徴とする収納物管理装置としてコンピュータを機能させてもよい。
【００５３】
前記プログラムは、前記処理手段が、前記センサが順次読み出す情報に基づいて、前記引出の開閉及び開閉方向を検出する、ことを特徴とする収納物管理装置としてコンピュータを機能させてもよい。
【発明の効果】
【００５４】
本発明によれば、収納物を容易に管理・検索することが可能になる。
【発明を実施するための最良の形態】
【００５５】
次に、本発明の第１の実施の形態にかかる引出付筐体について図面を参照して説明する。
【００５６】
第１の実施の形態にかかる引出付筐体は、例えば机やキャビネットなどの一部を構成する。図１は、上記引出付筐体１の斜視図である。図２（ａ）及び図２（ｂ）は、上記引出付筐体１の内部を示す図である。
【００５７】
図１、図２（ａ）及び図２（ｂ）に示すように、引出付筐体１は、引出２を格納するための格納空間１ａを有する。引出２は、複数の収納物（例えばフォルダ３）を収納し、格納空間１ａに格納される。
【００５８】
また、引出付筐体１は、第１のＩＣ（Integrated Circuit）チップセンサ（第１センサ）１１ａと、第２のＩＣチップセンサ（第２センサ）１１ｂと、記憶装置１２と、入出力装置１３と、を備える。
【００５９】
第１センサ１１ａ及び第２センサ１１ｂは、引出２の開閉方向に沿って並ぶように、引出付筐体１の天井板に内蔵されている。具体的には、第１センサ１１ａは、例えば格納空間１ａの入り口近傍に配置され、第２センサ１１ｂは、例えば格納空間１ａの入り口と奥との中間に配置される。
【００６０】
第１センサ１１ａ及び第２センサ１１ｂは、放射電磁波又は誘導電磁波などの電磁波を発生させる回路を備えている。第１センサ１１ａ及び第２センサ１１ｂは、所定の電磁波を発生させることにより、後述するように引出２及びフォルダ３のそれぞれに設けられたＩＣチップ（ＩＣタグ）から、引出２及びフォルダ３のそれぞれを識別するための識別情報を読み出す。
【００６１】
記憶装置１２は、第１センサ１１ａ及び第２センサ１１ｂが読み出した識別情報を用いて、引出２に収納されているフォルダ３を管理するための収納情報を生成して記憶する。また、記憶装置１２は、引出２の開閉時に、第１センサ１１ａ及び第２センサ１１ｂが読み出した識別情報を用いて、記憶している収納情報を更新する。なお、記憶装置１２の詳しい構成及び動作については後述する。
【００６２】
入出力装置１３は、引出付筐体１の背面上に設置される。入出力装置１３は、ＵＳＢ（Universal Serial Bus）又はＳＣＳＩ（Small Computer System Interface）などによる有線通信を行うための通信モジュール、赤外線又は電波などによる無線通信を行うための無線通信モジュール、及び／又は、光による光通信を行うための光通信モジュール等を備え、パーソナルコンピュータやＰＤＡ（Personal Digital Assistant）などの外部接続機器と通信を行うために設けられている。
【００６３】
引出２は、図２（ａ）及び図２（ｂ）に示すように、表板２ａ、裏板２ｂ、及び、仕切板２ｃを備える。仕切板２ｃは、表板２ａと裏板２ｂとの中間に設けられている。また、表板２ａ、裏板２ｂ、及び、仕切板２ｃの上部には、それぞれ、表板２ａ、裏板２ｂ、及び、仕切板２ｃを識別するための識別情報を格納したＩＣチップ４ａ、４ｂ、４ｃが設けられている。
【００６４】
具体的には、表板２ａのＩＣチップ（表板チップ）４ａは、表板２ａを示す識別コードを識別情報として格納している。また、裏板２ｂのＩＣチップ（裏板チップ）４ｂは、裏板２ｂを示す識別コードを識別情報として格納している。また、仕切板２ｃのＩＣチップ（仕切板チップ４ｃ）は、仕切板２ｃを示す識別コードを識別情報として格納している。これらの識別情報により、ＩＣチップ４ａ、４ｂ、４ｃが設けられている引出２上の位置をそれぞれ特定することができ、後述するように、引出２が引出付筐体１に完全に格納されているか、完全に引き出されているか等を判別することができる。
【００６５】
ＩＣチップ４ａ、４ｂ、４ｃは、第１センサ１１ａ又は第２センサ１１ｂが発生させる電磁波により電力を供給されて動作し、格納している識別情報を第１センサ１１ａ又は第２センサ１１ｂに出力する。
【００６６】
上記したように、第１センサ１１ａは格納空間１ａの入り口に設置され、第２センサ１１ｂは格納空間１ａの入り口と奥との中間に設置され、仕切板２ｃは、表板２ａと裏板２ｂとの中間に設けられている。これにより、引出２が完全に格納された状態において、表板チップ４ａ及び仕切板チップ４ｃは、第１センサ１１ａ及び第２センサ１１ｂにそれぞれ対向する。
【００６７】
フォルダ３は、図示するように、引出２に収納される。各フォルダ３の背表紙の上部には、フォルダ３を識別するための識別情報を格納したＩＣチップ５が設けられている。
【００６８】
具体的には、フォルダ３のＩＣチップ（フォルダチップ）５は、フォルダ３を識別するための識別コード、及び、フォルダ３の名前（タイトルなど）を識別情報として格納している。
【００６９】
フォルダチップ５は、第１センサ１１ａ又は第２センサ１１ｂが発生させる電磁波により電力を供給されて動作し、格納している識別情報を第１センサ１１ａ又は第２センサ１１ｂに出力する。
【００７０】
引出２が開閉されると、引出２の移動に伴ってフォルダ３も移動する。これにより、各フォルダ３に設けられたフォルダチップ５が第１センサ１１ａ及び第２センサ１１ｂによってスキャンされ、各フォルダチップ５に格納されている識別情報が順次読み出される。
【００７１】
上記したように、第１センサ１１ａは格納空間１ａの入り口に設置されている。また、第２センサ１１ｂは格納空間１ａの入り口と奥との中間に設置されている。言い換えると、第２センサ１１ｂは、引出２が完全に格納された状態において、引出２の全長を２等分する位置に設置されている。これにより、引出２をその全長の半分移動させるだけで、引出２に収納されている全フォルダ３の識別情報を第１センサ１１ａ及び第２センサ１１ｂで読み取ることができる。
【００７２】
具体的には、引出２を、完全に格納された図２（ａ）の位置から半分だけ引き出された図２（ｂ）の位置へ、又は、図２（ｂ）の位置から図２（ａ）の位置まで移動させるだけで、収納されている全フォルダ３の識別情報を第１センサ１１ａ及び第２センサ１１ｂで読み取ることができる。このため、第１の実施の形態では、引出２を引き出す際には、引出２を半分以上引き出すものとする。
【００７３】
また、引出付筐体１及び表板２ａの外壁は、無電解メッキなどによって、鉄シリコン系合金などの電磁シールド材によって覆われている。これにより、引出２の外部にあるフォルダ３の識別情報が誤って読み取られることを防止することができる。
【００７４】
次に、記憶装置１２の詳しい構成について説明する。
記憶装置１２は、図３に示すように、記憶部１２ａと、制御部１２ｂと、から構成される。
【００７５】
記憶部１２ａは、ＲＡＭ（Random Access Memory）やＥＰＲＯＭ（Erasable Programmable Read Only Memory）などの半導体メモリ、ハードディスク、及び／又は、光ディスクなどから構成される。記憶部１２ａは、引出２に収納されているフォルダ３を管理するための収納情報を記憶する。
【００７６】
収納情報は、図４に示すように、収納順、識別コード、及び、収納物名を表す情報が互いに対応付けられて構成される。収納順は、フォルダ３が収納されている順番を表し、例えば引出２の表板２ａに近い方から順番に１，２，３，．．．という番号が与えられる。ユーザがフォルダ３を使用してその収納の順番が変化すると、例えば、収納情報の収納順が書き換えられる。
【００７７】
制御部１２ｂは、ＣＰＵ（Central Processing Unit）及びメモリから構成されるマイクロコンピュータから構成され、上記収納情報を作成・更新するためのプログラムを記憶している。制御部１２ｂは、記憶しているプログラムに従って動作し、上記収納情報を作成して記憶部１２ａに格納し、引出２の開閉時に記憶部１２ａに格納されている収納情報を更新する。
【００７８】
ユーザは、パーソナルコンピュータ等の外部接続機器を操作して、入出力装置１３を介して記憶装置１２にアクセスし、記憶部１２ａに格納されている収納情報を読み出す。そして、ユーザは、読み出した収納情報を用いて、フォルダ３の名前を収納順にパーソナルコンピュータ等の画面に表示させたり、フォルダ３の名前で収納順を検索することができる。このように、収納情報によってフォルダ３の収納状態が分かるので、フォルダ３の管理及び検索等を容易に行うことができる。また、フォルダ３の収納順も明らかとなるので、目的のフォルダ３を引出２の中から容易に見つけだすことができる。
【００７９】
次に、引出２に収納されるフォルダ３の収納情報を管理するための動作について説明する。
第１センサ１１ａ及び第２センサ１１ｂは、ＩＣチップに格納されている識別情報を読み出すために所定の電磁波を発生させる。
【００８０】
表板チップ４ａ、裏板チップ４ｂ、仕切板チップ４ｃ、及び、フォルダチップ５は、引出２の移動に伴って、第１センサ１１ａ及び第２センサ１１ｂの下方を順に通過する。
【００８１】
各ＩＣチップ４ａ、４ｂ、４ｃ、５は、第１センサ１１ａ及び第２センサ１１ｂの下方を通過する際、第１センサ１１ａ及び第２センサ１１ｂからの電磁波により電力を供給されて動作する。そして、各ＩＣチップ４ａ、４ｂ、４ｃ、５は、自己が記憶している識別情報を出力する。第１センサ１１ａ及び第２センサ１１ｂは、通過する各ＩＣチップ４ａ、４ｂ、４ｃ、５が順次出力する識別情報を受信して、記憶装置１２の制御部１２ｂに出力する。
【００８２】
上記したように、引出２が完全に閉じている状態において、表板チップ４ａと第１センサ１１ａ、及び、仕切板チップ４ｃと第２センサ１１ｂは、それぞれ互いに対向している。このため、引出２が完全に閉じている状態では、制御部１２ｂに、第１センサ１１ａから表板２ａの識別情報が、第２センサ１１ｂから仕切板２ｃの識別情報がそれぞれ供給される。制御部１２ｂは、この供給される識別情報により、引出２が完全に閉じていることを判別することができる。
【００８３】
ユーザがフォルダ３を収納するために、又は、取り出すために引出２を開けると、引出２の移動に伴って、表板チップ４ａ及び仕切板チップ４ｃも移動する。このため、第１センサ１１ａから表板２ａの識別情報が供給されなくなり、第２センサ１１ｂから仕切板２ｃの識別情報が供給されなくなる。これにより、制御部１２ｂは、引出２が開けられたことを検出し、図５に示す収納情報作成・更新処理を開始する。
【００８４】
初めに、制御部１２ｂは、第１センサ１１ａ及び第２センサ１１ｂから供給される識別情報をメモリに蓄積する（ステップＳ１０１）。この際、制御部１２ｂは、供給された識別情報を、供給された順番を示す情報と関連付けてメモリに格納する。
【００８５】
上記したように、引出２を図２（ａ）の位置から図２（ｂ）の位置まで移動させれば、引出２に収納されている全フォルダ３の識別情報を第１センサ１１ａ及び第２センサ１１ｂで読み取ることができる。言い換えると、引出２が図２（ａ）の位置から図２（ｂ）の位置に移動する間に識別情報の読み出しを行えば、全フォルダ３の識別情報を効率よく取得することができる。
【００８６】
このため、制御部１２ｂは、第１センサ１１ａ及び第２センサ１１ｂから供給された識別情報を蓄積する度に、蓄積した識別情報が仕切板２ｃ及び裏板２ｂの識別情報であるか否かを判別する。これにより、制御部１２ｂは、引出２が図２（ｂ）の位置まで引き出されたか否かを判別する。言い換えると、制御部１２ｂは、収納されている全フォルダ３の識別情報の読み出しが完了したか否かを判別する（ステップＳ１０２）。
【００８７】
蓄積した情報は仕切板２ｃ及び裏板２ｂの情報でない、即ち、全フォルダ３の識別情報の読み出しが完了していないと判別した場合（ステップＳ１０２；ＮＯ）、制御部１２ｂは、ステップＳ１０１にリターンし、識別情報の蓄積を継続する。
【００８８】
一方、蓄積した情報は仕切板２ｃ及び裏板２ｂの情報である、即ち、全フォルダ３の識別情報の読み出しが完了したと判別した場合（ステップＳ１０２；ＹＥＳ）、制御部１２ｂは、これまでに蓄積した情報を用いて、記憶部１２ａに格納されている収納情報を更新する（ステップＳ１０３）。
【００８９】
具体的には、制御部１２ｂは、登録されていないフォルダ３がある場合は、そのフォルダ３の収納順、識別コード、及び、収納物名を追加する。また、フォルダ３の順番が入れ替わっている場合は、制御部１２ｂは、そのフォルダ３の収納順情報を書き換える。また、第１センサ１１ａ及び第２センサ１１ｂによって検出されなかったフォルダ３が存在する場合は、制御部１２ｂは、そのフォルダ３の情報を収納情報から削除する。
【００９０】
以上のようにして、引出２を開く際に収納情報が更新される。これにより、ＩＣチップセンサ１１ａ、１１ｂ及び記憶装置１２が動作していない時にフォルダ３の出し入れが行われたとしても、収納情報を最新のものに修正することができる。
【００９１】
上記したように、引出２は半分以上引き出される。この場合、引出２は、図２（ｂ）の位置からさらに引き出されるか、又は、図２（ｂ）の位置から閉じられる。
【００９２】
また、引出２が閉じられる場合は、上記したように、引出２が図２（ｂ）の位置から図２（ａ）の位置に移動する間に識別情報の読み出しを行えば、全フォルダ３の識別情報を効率よく取得することができる。
【００９３】
このため、制御部１２ｂは、以下に示すように、第１センサ１１ａ及び第２センサ１１ｂから供給される識別情報をメモリに蓄積すると共に、引出２が図２（ｂ）の位置からさらに引き出されたのか、又は、閉じられたのかを判別する。
【００９４】
引出２が図２（ｂ）の位置からさらに移動すると、上記と同様に、第１センサ１１ａ及び第２センサ１１ｂによって読み出された識別情報がそれぞれ制御部１２ｂに供給される。制御部１２ｂは、引出２の移動により、第１センサ１１ａ及び第２センサ１１ｂから続いて供給される識別情報をメモリに蓄積する（ステップＳ１０４）。
【００９５】
そして、制御部１２ｂは、蓄積した識別情報のうち、第１センサ１１ａから供給された情報が裏板２ｂの識別情報であるか否かを判別する（ステップＳ１０５）。これにより、制御部１２ｂは、引出２が図２（ａ）の位置から図６（ａ）に示すように完全に引き出されたか否かを判別する。
【００９６】
第１センサ１１ａからの情報が裏板２ｂの識別情報であると判別した場合（ステップＳ１０５；ＹＥＳ）、制御部１２ｂは、引出２が図２（ｂ）の位置からさらに開けられた、即ち、閉じられたのではないと判別し、ステップＳ１０４で蓄積した識別情報をクリアする（ステップＳ１０６）。
【００９７】
続いて、制御部１２ｂは、第２センサ１１ｂから裏板２ｂの識別情報が供給されるか否かを判別する（ステップＳ１０７）。これにより、制御部１２ｂは、引出２が図６（ａ）の位置から閉じられて、図２（ｂ）の位置まで移動したか否かを判別する。
【００９８】
第２センサ１１ｂから裏板２ｂの識別情報が供給されないと判別した場合（ステップＳ１０７；ＮＯ）、制御部１２ｂは、ステップＳ１０７にリターンし、裏板２ｂの識別情報が第２センサ１１ｂから供給されるのを待機する。
【００９９】
一方、第２センサ１１ｂから裏板２ｂの識別情報が供給されたと判別した場合（ステップＳ１０７；ＹＥＳ）、制御部１２ｂは、ステップＳ１０４にリターンし、識別情報の蓄積を再開する。
【０１００】
上記ステップＳ１０５の処理で、第１センサ１１ａからの情報が裏板２ｂの識別情報でないと判別した場合（ステップＳ１０５；ＮＯ）、制御部１２ｂは、引出２が図２（ｂ）の位置から図６（ｂ）の位置までさらに引き出され、その後に閉じられたのか否かを判別する。具体的には、制御部１２ｂは、蓄積した識別情報のうち、第２センサ１１ｂから供給された情報が裏板２ｂの識別情報であるか否かを判別する（ステップＳ１０８）。
【０１０１】
第２センサ１１ｂからの情報が裏板２ｂの識別情報であると判別した場合（ステップＳ１０８；ＹＥＳ）、制御部１２ｂは、ステップＳ１０４で蓄積した識別情報をクリアする（ステップＳ１０９）。そして、制御部１２ｂは、ステップＳ１０４にリターンし、識別情報の蓄積を再開する。
【０１０２】
一方、第２センサ１１ｂからの情報が裏板２ｂの識別情報でないと判別した場合（ステップＳ１０８；ＮＯ）、制御部１２ｂは、ステップＳ１０４で蓄積した情報が表板２ａ及び仕切板２ｃの識別情報であるか否かを判別する。これにより、制御部１２ｂは、引出２が図２（ａ）に示すように完全に閉じられたか否かを判別する。言い換えると、制御部１２ｂは、収納されている全フォルダ３の識別情報の読み出しが完了したか否かを判別する（ステップＳ１１０）。
【０１０３】
蓄積した情報が表板２ａ及び仕切板２ｃの情報でない、即ち、全フォルダ３の識別情報の読み出しが完了していないと判別した場合（ステップＳ１１０；ＮＯ）、制御部１２ｂは、ステップＳ１０４にリターンし、識別情報の蓄積を継続する。
【０１０４】
一方、蓄積した情報が表板２ａ及び仕切板２ｃの情報である、即ち、全フォルダ３の識別情報の読み出しが完了したと判別した場合（ステップＳ１１０；ＹＥＳ）、制御部１２ｂは、ステップＳ１０４でこれまでに蓄積した情報を用いて、記憶部１２ａに格納されている収納情報を更新する（ステップＳ１１１）。
【０１０５】
具体的には、制御部１２ｂは、登録されていないフォルダ３がある場合は、そのフォルダ３の収納順、識別コード、及び、収納物名を追加する。空の引出２にフォルダ３を収納する場合は、これによって収納情報が作成される。また、フォルダ３の順番が入れ替わっている場合は、制御部１２ｂは、そのフォルダ３の収納順情報を書き換える。また、第１センサ１１ａ及び第２センサ１１ｂによって検出されなかったフォルダ３が存在する場合は、制御部１２ｂは、そのフォルダ３の情報を収納情報から削除する。
【０１０６】
以上のようにして、引出２を閉じる際に収納情報が作成又は更新される。これにより、ユーザがフォルダ３を取り出したり、フォルダ３を収納したりして、収納されているフォルダ３が変わったり、その収納の順番が入れ替わったとしても、収納情報を最新のものに更新することができる。
【０１０７】
以上で、引出２が開けられてから完全に閉じられるまでの処理が完了する。引出２の開閉時に上記収納情報作成・更新処理を実行することにより、収納されているフォルダ３の情報を常に正しく保つことができる。これにより、ユーザは、パーソナルコンピュータ等を用いて、フォルダ３を容易に管理、検索することが可能となる。
【０１０８】
次に、本発明の第２の実施の形態にかかる引出付筐体について図面を参照して説明する。
図７に示すように、第２の実施の形態にかかる引出付筐体１は、机の一部を構成する。また、机には、外部接続機器（例えばパーソナルコンピュータ）６が設置されている。
【０１０９】
図８に示すように、第２の実施の形態では、引出付筐体１は、第１の形態で示した記憶装置１２を備えていない。また、外部接続機器６は、操作部６１と、表示部６２と、入出力部６３と、記憶部６４と、制御部６５と、から構成され、収納情報を管理する。
【０１１０】
操作部６１は、キーボード及びマウス等から構成され、ユーザの操作に従って、様々な指示を制御部６５に入力する。
表示部６２は、液晶表示装置又はＣＲＴ（Cathode Ray Tube）等から構成され、引出２に収納されているフォルダ３の一覧や、フォルダ３の検索結果等を表示する。
【０１１１】
入出力部６３は、ＵＳＢ又はＳＣＳＩなどによる有線通信を行うための通信モジュール、赤外線又は電波などによる無線通信を行うための無線通信モジュール、及び／又は、光による光通信を行うための光通信モジュール等を備え、引出付筐体１の入出力装置１３と通信を行う。
【０１１２】
記憶部６４は、ＲＡＭやＥＰＲＯＭなどの半導体メモリ、ハードディスク、及び／又は、光ディスクなどから構成される。記憶部６４は、引出２に収納されているフォルダ３を管理するための収納情報を記憶する。また、記憶部６４は、上記収納情報を作成・更新するためのプログラムを記憶している。
【０１１３】
制御部６５は、ＣＰＵから構成され、記憶部６４に格納されているプログラムに従って動作し、上記収納情報を作成して記憶部６４に格納し、引出２の開閉時に記憶部６４に格納されている収納情報を更新する。また、制御部６５は、フォルダ３の収納状態に変化があった場合に、表示部６２を介して、その旨をユーザに警告又は通知する。
上記以外の構成は、第１の実施の形態で示した構成と実質的に同一である。
【０１１４】
次に、引出２に収納されるフォルダ３の収納情報を管理するための動作について説明する。
第１の実施の形態と同様に、第１センサ１１ａ及び第２センサ１１ｂは、所定の電磁波を発生させて、表板チップ４ａ、裏板チップ４ｂ、仕切板チップ４ｃ、及び、フォルダチップ５のそれぞれから識別情報を読み出す。そして、第１センサ１１ａ及び第２センサ１１ｂは、読み出した識別情報を、入出力装置１３を介して、外部接続機器６に出力する。
【０１１５】
外部接続機器６の制御部６５は、第１の実施の形態で示した制御部１２ｂと同様に、第１センサ１１ａから表板２ａの識別情報が供給されなくなり、第２センサ１１ｂから仕切板２ｃの識別情報が供給されなくなることにより、引出２が開けられたことを検出する。そして、制御部６５は、図９に示す収納情報作成・更新処理を開始する。
【０１１６】
制御部６５は、第１の実施の形態と同様に、第１センサ１１ａ及び第２センサ１１ｂから供給される識別情報を記憶部６４に蓄積し（ステップＳ２０１）、収納されている全フォルダ３の識別情報の読み出しが完了したか否かを判別する（ステップＳ２０２）。
【０１１７】
全フォルダ３の識別情報の読み出しが完了していないと判別した場合（ステップＳ２０２；ＮＯ）、制御部６５は、ステップＳ２０１にリターンし、識別情報の蓄積を継続する。
【０１１８】
一方、全フォルダ３の識別情報の読み出しが完了したと判別した場合（ステップＳ２０２；ＹＥＳ）、制御部６５は、これまでに蓄積した識別情報と記憶部６４に格納されている収納情報とが一致するか否かを判別する（ステップＳ２０３）。
【０１１９】
蓄積情報と収納情報とが一致すると判別した場合（ステップＳ２０３；ＹＥＳ）、制御部６５は、表示部６２を制御し、記憶部６４に格納されている収納情報を用いて、収納されているフォルダ３の一覧を表示する（ステップＳ２０４）。そして、制御部６５は、後述するステップＳ２０７の処理を行う。
【０１２０】
一方、蓄積情報と収納情報とが一致しないと判別した場合（ステップＳ２０３；ＮＯ）、制御部６５は、表示部６２を制御し、蓄積した識別情報を用いて現在収納されているフォルダ３の一覧を表示すると共に、一致しなかったフォルダ３の情報を表示する（ステップＳ２０５）。
【０１２１】
例えば、制御部６５は、図１０に示すように、現在収納されているフォルダ３の一覧と共に、収納情報にはあるが蓄積情報には存在しないフォルダ３、収納情報にはないが蓄積情報には存在するフォルダ３、及び、収納情報及び蓄積情報の両方に存在するが収納順が入れ替わっているフォルダ３のそれぞれの情報を表示する。また、制御部６５は、一覧に表示するフォルダ３のうち、一致しなかったフォルダ３の名前を他のものとは異なる色で表示したり、名前を点滅させて表示してもよい。これにより、制御部６５は、フォルダ３の収納状態に変化があったことをユーザに警告又は通知する。
【０１２２】
続いて、制御部６５は、蓄積情報を用いて収納情報を更新する（ステップＳ２０６）。
その後、制御部６５は、第１の実施の形態で示したステップＳ１０４〜Ｓ１１０と同様の処理を行い、引出２が閉じられる際にも、第１センサ１１ａ及び第２センサ１１ｂから供給される識別情報を記憶部６４に順次蓄積する（ステップＳ２０７〜Ｓ２１３）。
【０１２３】
そして、ステップＳ２１３の処理で全フォルダ３の識別情報の読み出しが完了したと判別した場合（ステップＳ２１３；ＹＥＳ）、制御部６５は、引出２が閉じる際に蓄積した識別情報と記憶部６４に格納されている収納情報とが一致するか否かを判別する（ステップＳ２１４）。
【０１２４】
蓄積情報と収納情報とが一致すると判別した場合（ステップＳ２１４；ＹＥＳ）、制御部６５は、表示部６２を制御し、記憶部６４に格納されている収納情報を用いて、収納されているフォルダ３の一覧を表示する（ステップＳ２１５）。
【０１２５】
一方、蓄積情報と収納情報とが一致しないと判別した場合（ステップＳ２１４；ＮＯ）、制御部６５は、上記したステップＳ２０５と同様にして、蓄積した識別情報を用いて現在収納されているフォルダ３の一覧を表示すると共に、一致しなかったフォルダ３の情報を表示部６２に表示する（ステップＳ２１６）。
そして、制御部６５は、蓄積情報を用いて収納情報を更新し（ステップＳ２１７）、収納情報作成・更新処理を終了する。
【０１２６】
以上のようにして、引出２の開閉時に収納情報が更新される。これにより、ユーザがフォルダ３を取り出したり、フォルダ３を収納したりして、収納されているフォルダ３が変わったり、その収納の順番が入れ替わったとしても、収納情報を最新のものに更新することができる。これにより、ユーザは、外部接続機器６を用いて、フォルダ３を容易に管理、検索することが可能となる。
【０１２７】
また、引出２の開閉時にフォルダ３の収納状態に変化があったことが検出された場合には、その旨がユーザに通知される。これにより、例えば、持ち出し禁止のフォルダ３が持ち出された場合、ユーザは、外部接続機器６が発する警告又は通知により、そのことを知ることができる。
【０１２８】
なお、第１及び第２の実施の形態では、引出２が１つのみである場合を例として示した。しかし、引出２は、例えば図１１に示すように、複数重ねて又は並べて設けられてもよい。又は、引出２は、複数の引出２を備えるキャビネットを構成してもよい。この場合は、引出２に設けられたＩＣチップが格納する識別コードを引出２同士を識別可能なように構成し、引出２の識別情報とフォルダ３の識別情報とを関連づける収納情報を生成すれば、各引出２に格納されている収納物３を上記と同様にして管理することができる。
【０１２９】
また、第１及び第２の実施の形態では、引出付筐体１に２つのＩＣチップセンサ１１ａ、１１ｂが設けられている場合を例として示した。しかし、引出付筐体１に設けられるＩＣチップセンサの数は、１つでもよく、３つ以上であってもよい。
【０１３０】
例えば、ＩＣチップセンサが１つだけ設けられる場合は、ＩＣチップセンサを格納空間１ａの入り口に設け、引出２を開ける際には常に全部引き出すようにすればよい。このようにすれば、引出２の開閉によって、収納されている全フォルダ３の識別情報を読み出すことができ、上記と同様にして収納されているフォルダ３を管理することができる。
【０１３１】
また、３つ以上のＩＣチップセンサを引出２の開閉方向に沿って均等に並べれば、第１及び第２の実施の形態で示したよりも短い距離だけ引出２を移動させても、収納されている全フォルダ３の識別情報を読み出すことができる。
【０１３２】
例えば３つのＩＣチップセンサが設けられる場合、図１２（ａ）及び図１２（ｂ）に示すように、格納空間１ａの入り口に設けられた以外のＩＣチップセンサを引出２の全長を３等分する位置に配置すれば、引出２をその全長の３分の１移動させるだけで、収納されている全フォルダ３の識別情報を読み出すことができる。
【０１３３】
また、第１及び第２の実施の形態では、引出付筐体１に２つのＩＣチップセンサ１１ａ、１１ｂを、引出２に３つのＩＣチップ４ａ、４ｂ、４ｃをそれぞれ設置して、引出２の移動方向を検出していた。しかし、例えば図１３（ａ）に示すように、引出付筐体１に多数のＩＣチップセンサを引出２の移動方向に沿って配置して、引出２の移動方向を検出するようにしてもよい。また、例えば図１３（ｂ）に示すように、引出２の側板などに多数のＩＣチップを引出２の移動方向に沿って配置して、引出２の移動方向を検出するようにしてもよい。
【０１３４】
また、第１及び第２の実施の形態では、引出付筐体１の天井板にＩＣチップセンサ１１ａ、１１ｂが組み込まれている例を示した。しかし、ＩＣチップ４ａ、４ｂ、４ｃ、５から識別情報を読み出すことができれば、ＩＣチップセンサ１１ａ、１１ｂは、引出付筐体１の側板等に組み込まれていてもよい。
【０１３５】
また、第１及び第２の実施の形態では、引出２の表板２ａ、裏板２ｂ、及び、仕切板２ｃの上部にＩＣチップ４ａ、４ｂ、４ｃが設けられている例を示したが、ＩＣチップ４ａ、４ｂ、４ｃは、引出２の側板上部に設けられてもよい。この場合、引出２は仕切板２ｃを備えている必要はない。
【０１３６】
また、第１及び第２の実施の形態では、引出２内にフォルダ３を一列に並べて収納する場合を例として示したが、１つの引出２内にフォルダ３を複数列に並べて収納してもよい。この場合、列毎にＩＣチップセンサを設け、各列に収納されているフォルダ３の識別情報を読み出すようにしてもよい。
【０１３７】
また、第１及び第２の実施の形態では、フォルダ３の背表紙にＩＣチップ５が貼付されている場合を例として示したが、ＩＣチップ５は、ＩＣチップセンサ１１ａ、１１ｂによって識別情報の読み取りが可能な位置であれば、フォルダ３の表紙部分又は裏表紙部分等に設けられてもよい。
【０１３８】
また、第１及び第２の実施の形態では、フォルダチップ５がフォルダの識別コードとフォルダ３の名前を識別情報として格納している場合を示したが、フォルダチップ５は、識別情報としてフォルダ３の識別コードのみを格納した、情報の書き換えが不可能なＩＣチップであってもよい。この場合、第１の実施の形態で示した記憶装置１２の記憶部１２ａおよび第２の実施の形態で示した外部接続機器６の記憶部６４は、フォルダ３の識別コードとフォルダ３の名前とを対応付ける対応情報を記憶する。そして、記憶装置１２の制御部１２ｂおよび外部接続機器６の制御部６５は、センサ１１ａ、１１ｂによって読み出された識別情報（識別コード）と記憶部１２ａ，６４の対応情報とを用いてフォルダ３の名前等を特定し、収納情報の更新等を行ってもよい。また、外部接続機器６の制御部６５は、読み出された識別情報（識別コード）と対応情報とを用いてフォルダ３の名前等を特定し、表示部６２を制御してフォルダ３の収納状態を表示してもよい。
【０１３９】
また、第２の実施の形態において、外部接続機器６の制御部６５は、引出２が開かれたことを検出すると、記憶部６４に格納されている所定のプログラムを起動し、記憶部６４の収納情報を用いて、引出２に収納されているフォルダ３の一覧を表示部６２に表示させてもよい。
【０１４０】
また、第２の実施の形態において、制御部６５は、収納状態に変化があったと判別した場合に、蓄積した識別情報を用いて現在の収納状態を、記憶部６４の収納情報を用いて収納情報が前回更新された時点での収納状態を、それぞれ並べて表示するようにしてもよい。この際、制御部６５は、収納状態が変化したフォルダ３を点滅等させて表示してもよい。このようにすれば、変化の内容がよりわかりやすくなる。
【０１４１】
また、第２の実施の形態において、フォルダ３の識別情報に、持ち出し禁止のフォルダ３であるか否かを示す禁止情報を含めてもよい。そして、制御部６５は、収納状態に変化があったと判別した場合に、収納情報にあって蓄積情報にないフォルダ３が持出禁止フォルダであるか否かを判別し、持出禁止フォルダであると判別した場合に、表示色の変更、メッセージ表示、及び／又は、警報音出力などによって、持出禁止フォルダが持ち出されたことをユーザに警告するようにしてもよい。
【０１４２】
また、上記した禁止情報は、フォルダ３が持出禁止フォルダに指定された場合に所定の装置を用いてフォルダ３の識別情報に書き込まれ、持出禁止フォルダの指定からはずされた場合に所定の装置を用いてフォルダ３の識別情報から消去されてもよい。このようにすれば、持出禁止の指定及び解除に応じて、警告の出力／非出力を設定することができる。
【０１４３】
また、第２の実施の形態において、制御部６５は、収納情報を更新する際、更新日時を、フォルダ３が持ち出された日時、フォルダ３が収納された日時、フォルダ３の収納順が変更された日時として記録してもよい。
【０１４４】
また、第１の実施の形態において、引出付筐体１は、収納状態に変化があったことを通知（又は警報）するためのランプやスピーカ等を備えてもよい。そして、第１の実施の形態で示した制御部１２ｂは、第２の実施の形態で示した制御部６５と同様の処理を行い、収納状態に変化があったか否かを判別し、変化があったと判別した場合に、筐体１に設けられたランプを点灯させたり、スピーカから警報音を出力することにより、収納状態に変化があったことをユーザに通知してもよい。
【０１４５】
また、情報の書き換えが可能なＩＣチップをフォルダチップ５として用い、フォルダ３の中身が変わるたびにフォルダチップ５の内容を書き換えるようにしてもよい。
【０１４６】
また、以上では、引出２に収納される収納物の例としてフォルダ３を示したが、収納物は、バインダ、ファイル、ノート、書籍などでもよい。また、収納物は、カセット、ＣＤ、ＤＶＤ、ＭＤ等の記録媒体であってもよい。また、引出２に並べて収納されるものであれば、様々な商品が入ったケース（箱）などであってもよい。
【０１４７】
また、第１及び第２の実施の形態で示したように、収納物のＩＣチップには収納物の識別情報が格納され、引出２のＩＣチップには引出２の位置を特定するための位置情報が格納され、引出付筐体１に設けられたセンサは、引出２の開閉時に、収納物のＩＣチップから識別情報を読み出し、引出２のＩＣチップから位置情報を読み出す。記憶装置１２又は外部接続機器６は、読み出された識別情報及び位置情報を用いて、収納物の収納情報及び位置情報をそれぞれ管理してもよい。このようにすれば、上記引出付筐体１を、引出２の開閉状態の検出だけでなく、物の識別用センサとしても用いることができる。
【０１４８】
また、以上では、引出付筐体１は机やキャビネットなどの一部を構成するものとした。しかし、引出付筐体１単体で、自由に移動可能な引出として用いられてもよい。
【０１４９】
また、以上で示した記憶装置１２及び外部接続機器６は、専用の装置を用いる必要はなく、通常のコンピュータにより実現することができる。例えば、コンピュータに上記した各処理を実行させるためのプログラム及びデータを記録媒体（ＦＤ、ＣＤ−ＲＯＭ、ＤＶＤ、及び、半導体メモリ等）に記録して配布し、これをインストールしてＯＳ上で実行することにより、この発明の装置を実現できる。また、上記プログラム及びデータは、インターネット上のサーバ装置が有するディスク装置等に格納しておき、コンピュータに、例えば搬送波に重畳してダウンロード等するものとしてもよい。
【図面の簡単な説明】
【０１５０】
【図１】第１の実施の形態にかかる引出付筐体の斜視図である。
【図２】図１に示す引出付筐体の内部を示す図である。
【図３】引出付筐体が備える記憶装置の構成図である。
【図４】図３の記憶装置を構成する記憶部が記憶する収納情報を示す図である。
【図５】図３の記憶装置を構成する制御部が行う収納情報作成・更新処理を示すフローチャートである。
【図６】引出が引き出された状態を示す図である。
【図７】第２の実施の形態にかかる引出付筐体の斜視図である。
【図８】引出付筐体に接続される外部接続機器の構成図である。
【図９】図８の外部接続機器を構成する制御部が行う収納情報作成・更新処理を示すフローチャートである。
【図１０】図８の外部接続機器を構成する表示部が表示する収納状態情報を示す図である。
【図１１】引出が複数設置された状態を示す図である。
【図１２】３つのＩＣチップセンサが設けられた場合の構成を示す図である。
【図１３】（ａ）は引出付筐体に多数のＩＣチップセンサが設けられた状態を示す図であり、（ｂ）は引出に多数のＩＣチップが設けられた状態を示す図である。
【符号の説明】
【０１５１】
１      引出付筐体
２      引出
２ａ    表板
２ｂ    裏板
２ｃ    仕切板
３      フォルダ
４ａ    ＩＣチップ（表板チップ）
４ｂ    ＩＣチップ（裏板チップ）
４ｃ    ＩＣチップ（仕切板チップ）
５      ＩＣチップ（フォルダチップ）
６      外部接続機器
１１ａ  ＩＣチップセンサ（第１センサ）
１１ｂ  ＩＣチップセンサ（第２センサ）
１２    記憶装置
１２ａ  記憶部
１２ｂ  制御部
１３    入出力装置
６１    操作部
６２    表示部
６３    入出力部
６４    記憶部
６５    制御部
【図１】
2005254558.tif 000003
【図２】
2005254558.tif 000004
【図３】
2005254558.tif 000005
【図４】
2005254558.tif 000006
【図５】
2005254558.tif 000007
【図６】
2005254558.tif 000008
【図７】
2005254558.tif 000009
【図８】
2005254558.tif 000010
【図９】
2005254558.tif 000011
【図１０】
2005254558.tif 000012
【図１１】
2005254558.tif 000013
【図１２】
2005254558.tif 000014
【図１３】
2005254558.tif 000015